(57)【特許請求の範囲】
【請求項１】
光コネクタが嵌挿されて光接続される複数の通信光可視化アダプタと、
複数の前記通信光可視化アダプタのそれぞれが整列されて収容される筐体と、
を備えており、
複数の前記通信光可視化アダプタのそれぞれは、光通信路を通じて伝送される通信光の一部が取り出される光取出孔を有しており、
前記筐体は、複数の前記通信光可視化アダプタのそれぞれの前記光取出孔を一括して閉塞させたり開放させたりするための共通保護蓋を有していることを特徴とする通信光可視化モジュール。
【請求項２】
前記共通保護蓋は、複数の前記通信光可視化アダプタのそれぞれの前記光取出孔を一括して閉塞させる閉位置と複数の前記通信光可視化アダプタのそれぞれの前記光取出孔を一括して開放させる開位置との間で移動自在となるように前記筐体に取り付けられている請求項１に記載の通信光可視化モジュール。
【請求項３】
前記共通保護蓋は、光通信路を通じて伝送される通信光を透過させる材料で形成されている請求項１又は２に記載の通信光可視化モジュール。
【請求項４】
前記共通保護蓋は、複数の前記通信光可視化アダプタのそれぞれの前記光取出孔に向けて陥没するように形成される複数の陥没部を有している請求項１から３の何れか一項に記載の通信光可視化モジュール。
【請求項５】
前記筐体は、パッチパネルと係合されるツメ部を有している請求項１から４の何れか一項に記載の通信光可視化モジュール。
【発明の詳細な説明】
【技術分野】
【０００１】
本発明は、光通信路における通信状況の目視確認を目的として光通信路を通じて伝送される通信光を可視化するための通信光可視化モジュールに関する。
【背景技術】
【０００２】
従来より、光通信関連設備においては、光通信路における通信状況（例えば、光通信路が使用中であるか否か）の目視確認を目的として光通信路を通じて伝送される通信光を可視化するための通信光可視化モジュールが採用されている。
【０００３】
通信光可視化モジュールとしては、例えば、図５に示す通り、ＳＣコネクタやＬＣコネクタ等の光コネクタが嵌挿されて光接続される複数の通信光可視化アダプタ５０１と、複数の通信光可視化アダプタ５０１のそれぞれが整列されて収容される筐体５０２と、を備える通信光可視化モジュール５００が知られている。
【０００４】
ここで、複数の通信光可視化アダプタ５０１のそれぞれは、光通信路を通じて伝送される通信光の一部が取り出される光取出孔５０３を有しており、筐体５０２は、複数の通信光可視化アダプタ５０１のそれぞれの光取出孔５０３を独立して閉塞させたり開放させたりするための複数の保護蓋５０４を有している。
【０００５】
通信光可視化モジュール５００においては、光通信路における通信状況の目視確認を行わないときは、保護蓋５０４を閉位置まで動かすことにより、光取出孔５０３を閉塞させて異物の侵入を防止し、光通信路における通信状況の目視確認を行うときは、保護蓋５０４を開位置まで動かすことにより、光取出孔５０３を開放させて通信光検知器の嵌挿を許容している。
【先行技術文献】
【特許文献】
【０００６】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【発明の概要】
【発明が解決しようとする課題】
【０００７】
近頃の通信容量の増大に伴って、通信光可視化モジュール５００に収容される通信光可視化アダプタ５０１の数が増加しているが、光通信路における通信状況の目視確認を行う度に、複数の保護蓋５０４のそれぞれを独立して操作して複数の通信光可視化アダプタ５０１のそれぞれの光取出孔５０３を独立して閉塞させたり開放させたりする必要があるため、通信光可視化モジュール５００に収容される通信光可視化アダプタ５０１の数が増加する程、光通信路における通信状況の目視確認を行うときの保護蓋５０４の操作が煩雑となるという課題がある。
【０００８】
そこで、本発明の目的は、光通信路における通信状況の目視確認を行うときの保護蓋の操作が簡便となる通信光可視化モジュールを提供することにある。
【課題を解決するための手段】
【０００９】
本発明は、光コネクタが嵌挿されて光接続される複数の通信光可視化アダプタと、複数の前記通信光可視化アダプタのそれぞれが整列されて収容される筐体と、を備えており、複数の前記通信光可視化アダプタのそれぞれは、光通信路を通じて伝送される通信光の一部が取り出される光取出孔を有しており、前記筐体は、複数の前記通信光可視化アダプタのそれぞれの前記光取出孔を一括して閉塞させたり開放させたりするための共通保護蓋を有している通信光可視化モジュールである。
【００１０】
前記共通保護蓋は、複数の前記通信光可視化アダプタのそれぞれの前記光取出孔を一括して閉塞させる閉位置と複数の前記通信光可視化アダプタのそれぞれの前記光取出孔を一括して開放させる開位置との間で移動自在となるように前記筐体に取り付けられていることが望ましい。
【００１１】
前記共通保護蓋は、光通信路を通じて伝送される通信光を透過させる材料で形成されていることが望ましい。
【００１２】
前記共通保護蓋は、複数の前記通信光可視化アダプタのそれぞれの前記光取出孔に向けて陥没するように形成される複数の陥没部を有していることが望ましい。
【００１３】
前記筐体は、パッチパネルと係合されるツメ部を有していることが望ましい。
【発明の効果】
【００１４】
本発明によれば、光通信路における通信状況の目視確認を行うときの保護蓋の操作が簡便となる通信光可視化モジュールを提供することができる。
【図面の簡単な説明】
【００１５】
【図１】本発明の実施の形態に係る通信光可視化モジュールの外観を示す斜視図であって、共通保護蓋が閉位置にあるときの様子を示す図である。
【図２】本発明の実施の形態に係る通信光可視化モジュールの外観を示す斜視図であって、共通保護蓋が開位置にあるときの様子を示す図である。
【図３】図１及び図２の通信光可視化モジュールの外観を示す斜視図であって、光通信路における通信状況の目視確認を行うときの様子を示す図である。
【図４】図１及び図２の通信光可視化モジュールの外観を示す斜視図であって、光通信関連設備における使用例を説明する図である。
【図５】従来の通信光可視化モジュールの外観を示す分解斜視図である。
【発明を実施するための形態】
【００１６】
以下、本発明の実施の形態を添付図面に順って説明する。
【００１７】
図１及び図２に示す通り、本発明の実施の形態に係る通信光可視化モジュール１００は、ＳＣコネクタやＬＣコネクタ等の光コネクタ（不図示）が嵌挿されて光接続される複数の通信光可視化アダプタ１０１と、複数の通信光可視化アダプタ１０１のそれぞれが整列されて収容される筐体１０２と、を備えている。
【００１８】
複数の通信光可視化アダプタ１０１のそれぞれは、光通信路（例えば、光ファイバ）の端部に取り付けられる光コネクタが嵌挿される嵌挿口１０３と、光コネクタが嵌挿口１０３に嵌挿されて自身と光接続されるときに光通信路を通じて伝送される通信光の一部が取り出される光取出孔１０４と、を有している。
【００１９】
嵌挿口１０３は、光コネクタの規格（例えば、ＪＩＳ）に準拠する形状に形成されている。光取出孔１０４は、光通信路における通信状況の目視確認を行うときに嵌挿される通信光検知器の受光部の形状と合致する形状に形成されている。
【００２０】
なお、光取出孔１０４は、光通信路を通じて伝送される通信光の一部を取り出すものではなく、通信光可視化モジュール１００の内部の伝送損失発生部（例えば、光軸ズレ部）を通じて取り出される通信光の一部を通信光可視化アダプタ１０１の内部から外部に向けて導光するものである。
【００２１】
筐体１０２は、複数の通信光可視化アダプタ１０１のそれぞれが一面（図示前面）に沿って整列されて配置されると共に光通信路の余長が収容されるケース１０５と、ケース１０５の一面（図示上面）を覆ってケース１０５を封止する上蓋１０６と、複数の通信光可視化アダプタ１０１のそれぞれの光取出孔１０４を一括して閉塞させたり開放させたりするための共通保護蓋１０７と、を有している。
【００２２】
ケース１０５と上蓋１０６は、光通信路における通信状況の目視確認を行うときの通信光検知器の誤作動を防止すべく、光通信路を通じて伝送される通信光の他、屋外の太陽光や室内の蛍光灯等の外光を透過させない材料で形成されている。
【００２３】
これは、光通信路における通信状況の目視確認を行うときは、光通信路を通じて伝送される通信光の一部を取り出す必要があるが、光通信路における伝送損失を低減する観点から、通信光の取り出しに伴う損失を出来る限り低減することが望ましいため、通信光の取り出しに伴う損失を低減しても、光通信路における通信状況の目視確認を確実に行えるように、屋外の太陽光や室内の蛍光灯等の外光が通信光検知器の受光部に到達することを防止する必要があるからである。
【００２４】
共通保護蓋１０７は、複数の通信光可視化アダプタ１０１のそれぞれの光取出孔１０４を一括して閉塞させる閉位置（図１を参照）と複数の通信光可視化アダプタ１０１のそれぞれの光取出孔１０４を一括して開放させる開位置（図２を参照）との間で移動自在となるように筐体１０２に取り付けられている。
【００２５】
通信光可視化モジュール１００においては、共通保護蓋１０７が筐体１０２に対して回転自在に取り付けられており、その回転軸を中心として共通保護蓋１０７を回転させることにより、共通保護蓋１０７を閉位置と開位置との間で回転自在に操作することができるようになっている。
【００２６】
また、共通保護蓋１０７は、上蓋１０６の上面に突出することがないように、上蓋１０６の上面に形成される座繰り部１０８に配置されている。これにより、通信光可視化モジュール１００を多段に重ねて積載実装することができるため、光通信関連設備における通信光可視化モジュール１００の実装密度を向上させることが可能となる。
【００２７】
更に、共通保護蓋１０７は、光通信路を通じて伝送される通信光を透過させる材料で形成されている。これにより、通信光が可視光である場合に通信光検知器を使用しなくても共通保護蓋１０７を通じて通信光を視認するだけで、光通信路における通信状況の目視確認を行うことが可能となる。
【００２８】
また、共通保護蓋１０７は、複数の通信光可視化アダプタ１０１のそれぞれの光取出孔１０４に向けて陥没し、光取出孔１０４に嵌め込まれるように形成される複数の陥没部１０９を有している。
【００２９】
これにより、複数の通信光可視化アダプタ１０１のそれぞれの光取出孔１０４を一括して閉塞させたり開放させたりするための共通保護蓋１０７を採用しても、陥没部１０９が複数の通信光可視化アダプタ１０１のそれぞれの光取出孔１０４に嵌め込まれるので、光取出孔１０４を異物の侵入から確実に保護することが可能となる。
【００３０】
更に、通信光が可視光である場合は、隣接する光取出孔１０４の通信光が混じり合い、光通信路における通信状況の目視確認が困難となる虞があるが、陥没部１０９によって隣接する光取出孔１０４を確実に区画することができ、通信光が何れの光取出孔１０４から取り出されているかを確実に目視確認することが可能となる。
【００３１】
なお、通信光可視化モジュール１００を使用して光通信路における通信状況の目視確認を行うときは、図３に示す通り、共通保護蓋１０７を開位置まで動かすことにより、光取出孔１０４を開放させて通信光検知器１１０の嵌挿を許容し、光取出孔１０４に通信光検知器１１０を嵌挿して通信光の検知を行う。これにより、通信光検知器１１０の表示部１１１を介して光通信路における通信状況の目視確認を行うことが可能となる。
【００３２】
また、筐体１０２は、パッチパネルと係合されるツメ部１１２を有している。ツメ部１１２は、筐体１０２の側面（図示左右面）に１対ずつ形成されている。これにより、通信光可視化モジュール１００をパッチパネルに確実に固定することができると共に通信光可視化モジュール１００をパッチパネルから簡単に取り外すことが可能となる。
【００３３】
通信光可視化モジュール１００を光通信関連設備で使用する場合は、例えば、図４に示す通り、通信光可視化モジュール１００をパッチパネル１１３に取り付け、そのパッチパネル１１３を多段にしてラック１１４に収容する。
【００３４】
このとき、上側のパッチパネル１１３と下側のパッチパネル１１３は相互に前後に摺動自在に収容されており、光通信路における通信状況の目視確認を行いたい通信光可視化モジュール１００が取り付けられているパッチパネル１１３を引き出して、前述の手順で通信光を検知することにより、光通信路における通信状況の目視確認を行うことができる。
【００３５】
なお、筐体１０２は、ＭＰＯアダプタ１１５を有しており、光ファイバ等が一括してラック１１４の後方に引き出されるようになっている。
【００３６】
以上の通り、本発明の実施の形態に係る通信光可視化モジュール１００は、複数の通信光可視化アダプタ１０１のそれぞれの光取出孔１０４を一括して閉塞させたり開放させたりするための共通保護蓋１０７を備えているため、光通信路における通信状況の目視確認を行うときの保護蓋の操作が簡便となる。
【符号の説明】
【００３７】
１００  通信光可視化モジュール
１０１  通信光可視化アダプタ
１０２  筐体
１０３  嵌挿口
１０４  光取出孔
１０５  ケース
１０６  上蓋
１０７  共通保護蓋
１０８  座繰り部
１０９  陥没部
１１０  通信光検知器
１１１  表示部
１１２  ツメ部
１１３  パッチパネル
１１４  ラック
１１５  ＭＰＯアダプタ
【図１】
0006493109.tif 000002
【図２】
0006493109.tif 000003
【図３】
0006493109.tif 000004
【図４】
0006493109.tif 000005
【図５】
0006493109.tif 000006